(57)【特許請求の範囲】
【請求項１】
顧客からのオーダーを１つの処理単位として、写真フィルム及び第１の記録媒体の少なくともいずれか一方から画像データを読み取る写真処理装置と、前記写真処理装置に通信ケーブルを介して接続され、前記写真処理装置からの画像データをディスク記録媒体に記録する画像記録装置とを備える写真処理システムであって、
前記写真処理装置は、
写真フィルム及び第１の記録媒体の少なくともいずれか一方から読み取った画像データを画像メモリに記憶する画像読取手段と、
前記画像メモリに記憶される画像データのうちオペレータが操作部を操作することによって指定した画像を１オーダーとし、そのオーダーにオーダー番号を昇順に付与するオーダー番号付与手段と、
前記オーダー番号付与手段により付与されたオーダー番号と、１オーダーに含まれる画像データとを対応付けて前記通信ケーブルを介して前記画像記録装置に送信する画像送信手段とを備え、
前記画像記録装置は、
前記画像送信手段から１オーダーに含まれる全ての画像データの送信が完了するまで、１枚分の画像データが送信される毎にカウントアップし、各オーダーが処理する画像の枚数をカウントする計数手段と、
前記オーダー番号付与手段によりオーダー毎に付与されたオーダー番号と前記計数手段によりカウントされたオーダー毎の画像の枚数とを用いて、オーダー毎に付与されたオーダー番号と前記計数手段によりカウントされそのオーダーが処理する画像の枚数とを対応づけて表示部に表示するオーダー一覧画像を作成するオーダー画像作成手段とを備え、
前記オーダー画像作成手段は、前記画像送信手段から送信途中の画像データのオーダーを示す第１のオーダー一覧画像と、前記ディスク記録媒体に画像データの書き込み処理が終了したオーダーを示す第２のオーダー一覧画像と、前記写真フィルム及び前記第１の記録媒体の少なくともいずれか一方から画像データを読み取る処理が終了し、前記ディスク記録媒体に画像データを書き込む処理待ちのオーダーを示す第３のオーダー一覧画像とを作成し、
前記第３のオーダー一覧画像は、１つのディスク記録媒体に複数のオーダーを書き込むように前記操作部が指示された場合、１つのディスク記録媒体に書き込まれる全てのオーダーのうち、オーダー番号が一番小さいオーダーのオーダー番号に対して、他のオーダーのオーダー番号を字下げして表示することを特徴とする写真処理システム。
【請求項２】
前記オーダー画像作成手段は、前記ディスク記録媒体に画像データの書き込み処理中のオーダーを示す第４のオーダー一覧画像を作成することを特徴とする請求項１記載の写真処理システム。
【発明の詳細な説明】
【０００１】
【発明の属する技術分野】
本発明は、写真フィルムからスキャナで読み取った画像データや、フラッシュメモリなどの記録媒体から読み取った画像データをＣＤ−Ｒなどのコンピュータ読み取り可能な記録媒体に記録する写真処理システムに関する。
【０００２】
【従来の技術】
近年、写真現像店では、顧客から提示された写真フィルムから画像データを読み取ったり、コンパクトフラッシュ、ＳＤ（Secure Digital）メモリカード、スマートメディア、メモリースティックなどのディジタルカメラに装填されるフラッシュメモリから画像データを読み取り、読み取った画像データをＣＤ−Ｒ（Compact Disc Recordable）、ＣＤ−ＲＷ（CD ReWritable）、ＤＶＤ−Ｒ（Digital Versatile Disc Recordable）、ＤＶＤ−ＲＡＭ（ＤＶＤ−Random Access Memory）、ＤＶＤ−ＲＷ（DVD ReWritable）などの記録媒体（以下、ディスク記録媒体と呼ぶ）に記録するサービスが展開されている。
【０００３】
ディスク記録媒体に画像データを記録する場合、記録した画像データが目に見えないため、写真プリントとは異なり、コマ画像の記録抜けが生じる可能性が高い。
【０００４】
また、ディスク記録媒体は、記憶容量が大きいため、１枚のディスク記録媒体に、写真フィルム複数本の画像データを記録するとともに、フラッシュメモリ複数枚の画像データを記録することができる。そのため、ディスク記録媒体に画像データを記録するサービスを行う場合、１枚のディスク記録媒体に写真フィルム複数本分の画像データ及び／又はフラッシュメモリの複数枚分の画像データを記録するように依頼される場合がある。
【０００５】
このような依頼は、写真現像店側の管理が煩雑になるため、写真フィルム１本分若しくはフラッシュメモリ１枚分の画像データが丸々記録されない事態、すなわちメディアの記録抜けが生じる可能性が高くなる。
【０００６】
したがって、写真現像店では、ディスク記録媒体に画像データを記録するサービスを行う場合、コマ画像の記録抜けの有無及びメディアの記録抜けの有無を確認する作業が必要となる。
【０００７】
写真現像店では、通常、顧客からの注文があった場合、写真フィルム１本若しくはフラッシュメモリ１枚を１つのオーダーとし、このオーダーにオーダー番号を付与して顧客からの受注の管理を行っている。または、写真フィルム若しくはフラッシュメモリの本数によらず、１人の顧客からの依頼をまとめて１つのオーダーとし、このオーダーにオーダー番号を付与して顧客からの受注の管理を行っている。
【０００８】
そのため、コマ画像の記録抜けの有無及びメディアの記録抜けの有無を確認する作業は、オーダーに基づいて行われる。具体的には、画像データが記録されたディスク記録媒体を、コンピュータに読み取らせ、例えば写真処理システムの表示部にディスク記録媒体のディレクトリを表示し、このディレクトリを基づいて、写真現像店の店員が、画像ファイルの個数を数え、そのディスク記録媒体が記録するオーダー毎の画像枚数を取得し、取得したオーダー毎の画像の記録枚数を、注文伝票に記載されたオーダー毎の記録枚数と照合することにより行われる。すなわち、両記録枚数が一致すれば、コマ画像の記録抜け及びメディアの記録抜けが生じておらず、一方、両記録枚数が一致してなければ、コマ画像の記録抜け及びメディアの記録抜けが生じていることが判明する。
【０００９】
【発明が解決しようとする課題】
しかしながら、このような確認作業を全てのディスク記録媒体に対して行うことは、写真現像店に対する負担が大きいという問題がある。特に、日々膨大な件数を受注し、その処理を行わなければならない写真現像店にとって、このような確認作業をディスク記録媒体１枚毎に行うことは、業務負担が大幅に増大し、サービスの低下を招来してしまう。
【００１０】
本発明は、このような問題を解決するためになされたものであり、コマ画像の記録抜け及びメディアの記録抜けを確認する作業の手間を大幅に軽減することができる写真処理システムを提供することを目的する。
【００１１】
【課題を解決するための手段】
本発明に係る写真処理システムは、顧客からのオーダーを１つの処理単位として、写真フィルム及び第１の記録媒体の少なくともいずれか一方から画像データを読み取る写真処理装置と、前記写真処理装置に通信ケーブルを介して接続され、前記写真処理装置からの画像データをディスク記録媒体に記録する画像記録装置とを備える写真処理システムであって、前記写真処理装置は、写真フィルム及び第１の記録媒体の少なくともいずれか一方から読み取った画像データを画像メモリに記憶する画像読取手段と、前記画像メモリに記憶される画像データのうちオペレータが操作部を操作することによって指定した画像を１オーダーとし、そのオーダーにオーダー番号を昇順に付与するオーダー番号付与手段と、前記オーダー番号付与手段により付与されたオーダー番号と、１オーダーに含まれる画像データとを対応付けて前記通信ケーブルを介して前記画像記録装置に送信する画像送信手段とを備え、前記画像記録装置は、前記画像送信手段から１オーダーに含まれる全ての画像データの送信が完了するまで、１枚分の画像データが送信される毎にカウントアップし、各オーダーが処理する画像の枚数をカウントする計数手段と、前記オーダー番号付与手段によりオーダー毎に付与されたオーダー番号と前記計数手段によりカウントされたオーダー毎の画像の枚数とを用いて、オーダー毎に付与されたオーダー番号と前記計数手段によりカウントされそのオーダーが処理する画像の枚数とを対応づけて表示部に表示するオーダー一覧画像を作成するオーダー画像作成手段とを備え、前記オーダー画像作成手段は、前記画像送信手段から送信途中の画像データのオーダーを示す第１のオーダー一覧画像と、前記ディスク記録媒体に画像データの書き込み処理が終了したオーダーを示す第２のオーダー一覧画像と、前記写真フィルム及び前記第１の記録媒体の少なくともいずれか一方から画像データを読み取る処理が終了し、前記ディスク記録媒体に画像データを書き込む処理待ちのオーダーを示す第３のオーダー一覧画像とを作成し、前記第３のオーダー一覧画像は、１つのディスク記録媒体に複数のオーダーを書き込むように前記操作部が指示された場合、１つのディスク記録媒体に書き込まれる全てのオーダーのうち、オーダー番号が一番小さいオーダーのオーダー番号に対して、他のオーダーのオーダー番号を字下げして表示することを特徴とするものである。
【００１２】
この場合、計数手段によって、各オーダーが処理する画像の枚数が読み取られ、オーダー画像作成手段によって、オーダー番号とそのオーダーが処理する画像の枚数とを対応づけて表示するオーダー一覧画像が作成され、表示装置やプリンタなどに出力される。そのため、写真現像店は、オーダーに含まれる画像の枚数と、そのオーダーの注文伝票に記載された画像の記録枚数とを照合して、第２の記録媒体へのメディアの記録抜け又はコマ画像の記録抜けが発生しているか否かを確認する作業の手間を軽減することができ、写真現像店のサービスを向上させることができる。
【００１３】
更に、この場合、オーダー画像作成手段によって、読み取り中のオーダーと第２の記録媒体に書き込み処理の終了したオーダーとが区別して表示されるため、オペレータは、どのオーダーが読み込み中のものであり、どのオーダーが書き込み処理済みのオーダーであるかを認識することができる。
【００１４】
また、前記オーダー画像作成手段は、前記ディスク記録媒体に画像データの書き込み処理中のオーダーを示す第４のオーダー一覧画像を作成することが好ましい。
【００１５】
また、前記オーダー画像作成手段は、前記写真フィルム及び前記第１の記録媒体の少なくともいずれか一方から画像データを読み取る処理が終了し、前記第２の記録媒体に画像データを書き込む処理待ちのオーダーを示すオーダー一覧画像を作成することが好ましい。
【００１６】
この場合、第２の記録媒体に書き込み処理待ちのオーダーが、読み込み処理中のオーダー及び書き込み処理中のオーダーと区別して表示されるため、オペレータは、どのオーダーが書き込み処理待ちであるかを認識することができる。
【００１９】
【発明の実施の形態】
図１は、本発明に係る写真処理システムの構成を示した概略図である。写真処理システム１は、写真プリントを行う写真処理装置１０と、ＣＤ−Ｒなどのディスク記録媒体に画像データを記録する画像記録装置３０とから構成されている。写真処理装置１０と画像記録装置３０とは、通信ケーブルＣＣを介して接続されている。
【００２０】
写真処理装置１０は、写真フィルムに形成された画像データを読み取り、画像データを出力する写真フィルム読取部１１ａと、コンパクトフラッシュなどのディジタルカメラに装填されるフラッシュメモリに記録された画像データを読み取るフラッシュメモリリードライタ１１ｂと、感光材を露光する露光部１２と、露光された感光材を現像処理する現像処理部１３と、感光材を遮光状態で巻き回して収納するマガジン１４と、マガジンに収納された感光材を、露光部１２及び現像処理部１３に所定速度で搬送する搬送機構１５と、現像処理された感光材を乾燥する乾燥ユニット１６と、乾燥された感光材を配列するソータ１７と、写真処理装置の稼働状況などを表示するモニター１８と、オペレータからの操作指令を受け付ける操作部１９と、写真処理装置１０全体の制御を行う制御部２０とを具備している。
【００２１】
写真フィルム読取部１１ａは、写真フィルムを搬送する搬送機構と、写真フィルムに光を照射するハロゲンランプと、ハロゲンランプから照射された光のうち写真フィルムを透過した光を受光して写真フィルムの画像を電気信号に変換するＣＣＤスキャナと、ＣＣＤスキャナによって変換された電気信号をディジタル信号に変換するＡ／Ｄコンバーターなどを具備している。
【００２２】
フラッシュメモリリードライタ１１ｂは、コンパクトフラッシュ、ＳＤメモリカード、スマートメディア及びメモリースティックのそれぞれを装填することができ、これらのフラッシュメモリに記録された画像データを読み取ることができる装置である。
【００２３】
露光部１２は、例えば赤、緑及び青の波長のレーザビームを出力するレーザ光源と、ポリゴンミラーなどを含み、レーザ光源から出力されたレーザビームを感光材に導き、感光材搬送方向とほぼ直交する方向に走査する光学系と、写真フィルム読取部１１ａ及びフラッシュメモリリードライタ１１ｂによって読み取られた画像データをもとに、レーザビームを変調し、レーザビームに画像信号を重畳させる光変調機構などを具備している。感光材は露光部１２によって、レーザビームが走査されることにより露光され潜像が形成される。
【００２４】
現像処理部１３は、それぞれ現像液、漂白液、定着液及び安定化液を蓄える複数のタンク１３Ａ〜１３Ｄを備えている。露光部１２によって潜像が形成された感光材は、タンク１３Ａ〜１３Ｄを順番に通過することによって、現像液、漂白液、定着液及び安定化液に浸され、潜像が顕在化され画像が形成される。
【００２５】
搬送機構１５は、複数の従動ローラ１５Ａ及び駆動ローラ１５Ｂと、マガジン１４から引き出された感光材を露光部１２、現像処理部１３、乾燥ユニット１６及びソータ１７に順番に案内するためのガイドレールなどから構成されている。
【００２６】
制御部２０は、ＣＰＵ（中央処理装置）と、写真処理装置１０を制御するための制御プログラムなどを記憶するＲＯＭ（リードオンリーメモリ）と、種々のデータを一時的に記憶するＲＡＭ（ランダムアクセスメモリ）などから構成されている。
【００２７】
画像記録装置３０は、パーソナルコンピュータ３１と、ディスク記録媒体に記録されたデータを読み込み又は書き込み処理を行う記録媒体リードライタ３２と、ディスク記録媒体の表面に、画像のプリントを行うインクジェットプリンタ３３とを具備している。パーソナルコンピュータ３１は、ＣＰＵ（中央処理装置）３４、ＲＯＭ（リードオンリーメモリ）３５、ＲＡＭ（ランダムアクセスメモリ）３６、ハードディスクドライブ（ＨＤＤ）３７、マウス３８、キーボード３９、ＣＲＴ（陰極線管）または液晶パネルからなる表示装置４０、入出力インターフェイス（Ｉ／Ｆ）４１などを具備している。ＣＰＵ３４、ＲＯＭ３５、ＲＡＭ３６、ＨＤＤ３７、入出力インターフェイス４１は、バス４２によって相互に接続されている。
【００２８】
記録媒体リードライタ３２は、ＣＤ−Ｒ、ＣＤ−ＲＷ、ＤＶＤ−ＲＡＭ及びＤＶＤ−ＲＷなどのディスク記録媒体にデータを記録することが可能な装置である。インクジェットプリンタ３３は、例えばシアン、イエロー、マゼンダ及びブラックのインクを噴霧することにより、ディスク記録媒体の表面に画像を形成する装置である。
【００２９】
図２は、写真処理システム１を機能的に示したブロック構成図である。写真処理装置１０は、画像読取部１０１と、画像メモリ１０２と、オーダー番号付与部１０３と、画像送信部１０４と、操作部１０５とを備えている。
【００３０】
画像読取部１０１は、写真フィルム読取部１１ａ及びフラッシュメモリリードライタ１１ｂを含み、写真フィルムから読み取った画像をディジタル画像データに変換し画像メモリ１０２に記録するとともに、フラッシュメモリから読み取った画像データを画像メモリ１０２に記録する。
【００３１】
オーダー番号付与部１０３は、写真処理装置１０のＣＰＵにオーダー番号付与プログラムを実行させることによって実現され、画像メモリ１０２が記憶する画像データのうちオペレータが操作部１０５を操作することによって指定した所定枚数の画像を１オーダーとし、そのオーダーにオーダー番号を付与する。オーダー番号付与部１０３は、例えば前のオーダーに付与したオーダー番号に１加算した値を次のオーダーのオーダー番号とする。通常、写真フィルム１本分若しくはフラッシュメモリ１枚分が１つのオーダー単位とされるが、写真フィルム複数本分を１つのオーダー単位とする場合、フラッシュメモリ複数毎分を１つのオーダー単位とする場合、写真フィルム１本以上に加えてフラッシュメモリ１枚分以上を１つのオーダー単位とする場合もある。いずれにせよ、オペレータが操作部１９を介して指示することにより、任意にオーダーの範囲を指定することができる。従って、１本の写真フィルムの途中で区切り２つのオーダーとすることも可能である。
【００３２】
画像送信部１０４は、制御部２０に含まれる通信ボードなどから構成され、オーダー番号とそのオーダーに含まれる画像とを対応づけて画像記録装置３０に送信する。
【００３３】
画像記録装置３０は、画像メモリ３０１と、計数部３０２と、オーダー画像作成部３０３と、表示部３０４と、画像記録部３０５などから構成されている。
【００３４】
画像メモリ３０１は、主にＲＡＭ３６から構成され、画像送信部１０４によって、送信された画像データと、そのオーダーに付与されたオーダー番号とを対応づけて記憶する。
【００３５】
計数部３０２は、ＣＰＵに計数プログラムを実行させることにより実現され、画像送信部１０４から１つのオーダーに含まれる全ての画像データの送信が完了するまで、１枚分の画像データが送信される毎にカウントアップし、オーダーに含まれている画像の枚数をカウントする。
【００３６】
オーダー画像作成部３０３は、オーダー番号と、そのオーダー番号に含まれている画像の枚数とを対応づけて表示するオーダー一覧画像を作成し、表示部３０４に出力する。オーダー画像作成部３０３は、オーダー一覧画像を作成するにあたり、画像送信部１０４から送信途中のオーダー（受信中のオーダー）と、後述するデータ変換部３０６による圧縮処理が終了していないオーダー（書き込み準備中のオーダー）と、ディスク記録媒体への書き込み待ちのオーダーと、ディスク記録媒体への書き込み中のオーダーと、ディスク記録媒体への書き込みが終了したオーダーとを区別してオーダー一覧画像を作成する。
【００３７】
表示部３０４は、表示装置４０やＶＲＡＭ（ＶＩＤＥＯ  ＲＡＭ）などから構成され、オーダー画像作成部３０３によって、作成されたオーダー一覧画像を表示する。
【００３８】
画像記録部３０５は、記録媒体リードライタ３２、インクジェットプリンタ３３を含み、画像メモリ３０１に記録されている画像データをオーダー単位で受信し、受信した画像データを記録媒体リードライタ３２に装填されたディスク記録媒体に書き込むとともに、インクジェットプリンタ３３に装填されたディスク記録媒体の表面に、サムネイル画像、写真現像店のロゴマーク及び写真現像店の広告及びそのディスク記録媒体が記録するオーダーのオーダー番号などをプリントする。
【００３９】
写真現像店が、ディスク記録媒体に画像データを記録するサービスを行う場合、ディスク記録媒体の表面にその店のロゴマークや、インデックス画像をプリントするサービスが行われることがある。ディスク記録媒体の表面に写真現像店のロゴマークなどがプリントされた後、そのディスク記録媒体が記録するオーダー番号をプリントしようとすると、先にディスク記録媒体表面にプリントされた写真現像店のロゴマークなどのために、ディスク記録媒体の表面にオーダー番号をプリントすることができないおそれがある。そこで、本写真処理システム１では、ディスク記録媒体の表面にオーダー番号をプリントする領域を確保するために、写真現像店のロゴマークなどをプリントする領域を制限している。具体的には、図３に示すように、ディスク記録媒体の表面において、その中心から半径２２ｍｍ〜２５．５ｍｍの領域に、写真現像店のロゴマークやインデックス画像などのオーダー番号以外の画像をプリントしないようにプリント領域の制限を行っている。そのため、ディスク記録媒体の中心から半径２２ｍｍ〜２５．５ｍｍの領域、すなわち、点線で囲まれる３．５ｍｍのドーナツ状の領域にオーダー番号を確実にプリントすることができる。
【００４０】
データ変換部３０６は、ディスク記録媒体が記録するのに適切な記録形式となるように、オーダーに含まれる各画像データを所定の圧縮形式、例えばＪＰＥＧに圧縮し、画像記録部３０５に出力する。
【００４１】
次に、写真処理システム１が１つのオーダーを読み込み、１つのオーダーをディスク記録媒体に書き込むまでの動作について図４に示すフローチャートに従って説明する。まず、オペレータによって、操作部１９を介して画像データの読み込み指示がされると（ステップＳ１においてＹＥＳ）、画像読取部１０１によって、読み込み対象となる画像データが写真フィルムに記録された画像に対応するものであるか、フラッシュメモリに記録された画像データであるかが判断される（ステップＳ２）。写真フィルムに記録された画像に対応する画像データであれば（ステップＳ２でＹＥＳ）、画像読取部１０１によって、写真フィルムがスキャンされ、写真フィルムに記録された画像が読み取られる（ステップＳ３）。一方、読み込み対象画像データがフラッシュメモリに記録された画像データと判断された場合（ステップＳ２でＮＯ）、画像読取部１０１によって、フラッシュメモリに記録された画像データが読み取られる（ステップＳ４）。
【００４２】
次いで、画像読取部１０１によって読み取られた画像データが画像メモリ１０２に記憶される（ステップＳ５）。次いで、オペレータによって操作部１０５を介してディスク記録媒体に書き込む画像（書き込み対象画像）が選択される（ステップＳ６）。
【００４３】
図５は、オペレータが書き込み対象画像を選択する際に、モニター１８に表示される画面図の一例を示している。この画面図では、画像メモリ１０２に記憶されている、例えば写真フィルム１本、又はフラッシュメモリ１枚に記録されている各画像が間引かれたサムネイル画像が所定枚数毎に１つの画面に一覧表示されている。
【００４４】
図５では、モニター１８に、サムネイル画像ＳＧが２行３列で６枚毎に一覧表示されている。画面下の中央には、三角形状の一対のボタンＢ１及びＢ２が表示されている。ボタンＢ１をクリックすると、次の６枚のサムネイル画像ＳＧが２行３列で一覧表示され、更にボタンＢ１をクリックするとその次の６枚のサムネイル画像ＳＧが一覧表示され、・・・というように、ボタンＢ１をクリックすることにより、写真フィルム又はフラッシュメモリに記録されている全ての画像を見ることができる。
【００４５】
ボタンＢ２をクリックすると、その前に表示された６枚のサムネイル画像ＳＧが２行３列で表示される。画面下左側には、書き込み対象画像を選択するためのボタンＤ１〜Ｄ４が表示されている。ボタンＤ２を押せば、サムネイル画像ＳＧの外縁に表示された外枠ＯＷが右隣のサムネイル画像ＳＧに移動する。ボタンＤ３を押せば、外枠ＯＷが下隣のサムネイル画像ＳＧに移動する。ボタンＤ４を押せば、外枠ＯＷが左隣のサムネイル画像ＳＧに移動する。ボタンＤ１を押せば、外枠ＯＷが上隣のサムネイル画像ＳＧに移動する。そして、ボタンＤ１〜Ｄ４を操作することによって、外枠ＯＷをディスク記録媒体に書き込ませたい画像のサムネイル画像ＳＧの位置に移動させ、その位置で、選択ボタンＣＢ１をクリックすると、その画像が書き込み対象画像として選択される。そして、書き込み対象画像として選択されたことを示すために、選択されたサムネイル画像の外縁が、太線ＷＲで表示される。一方、一度、書き込み対象画像として選択されたサムネイル画像ＳＧに外枠ＯＷを移動させ、解除ボタンＣＢ２をクリックすると、その画像は、書き込み対象画像としての指定が解除される。
【００４６】
図５では、外枠ＯＷがサムネイル画像ＳＧ２１に位置し、サムネイル画像ＳＧ１２、ＳＧ１３及びＳＧ２３が書き込み対象画像として選択されているため、これらサムネイル画像ＳＧの外縁が太線ＷＲによって表示されている。
【００４７】
図４に戻り、オーダー番号付与部１０３によって、ステップＳ６で選択された書き込み対象画像を１つのオーダーとして、そのオーダーにオーダー番号が付与される（ステップＳ７）。次いで、画像送信部１０４によって、オーダー番号と、そのオーダーに含まれる１枚の画像データとが対応づけられて画像記録装置３０に送信され（ステップＳ８）、画像メモリ３０１にオーダー番号と送信された１枚の画像データとが対応付けて記憶される。
【００４８】
次いで、計数部３０２によって、１つのオーダーに含まれる全ての画像データの送信が完了するまで、画像送信部１０４から１枚の画像データが送信される毎に、画像枚数がカウントアップされる（ステップＳ９）。次いで、オーダー画像作成部３０３によって、オーダー番号とそのオーダー番号に含まれる画像の枚数とが対応づけて表示されたオーダー一覧画像が作成され（ステップＳ１０）、表示部３０４に表示される。次いで、１つのオーダーに含まれる全ての画像データの送信が完了すると（ステップＳ１１でＹＥＳ）、ステップＳ１２に進む。
【００４９】
図６は、オーダー画像作成部３０３によって作成されるオーダー一覧画像の一例を示した図である。図６に示すように、オーダー一覧画像は、画面上左側に表示され、現在読み込み中のオーダーを表示する「受信」欄Ｒと、「受信」欄Ｒの右隣に表示され、ＪＰＥＧ形式に変換中のオーダーを表示する「書き込み準備」欄Ｔと、「書き込み準備」欄Ｔの右隣に表示され、ＪＰＥＧ形式へのデータ変換が完了し、ディスク記録媒体へ書き込み待ちのオーダーを表示する「書き込み待ち」欄Ｗと、「書き込み待ち」欄Ｗの右隣に表示され、ディスク記録媒体に書き込み中のオーダーを表示する「書き込み中」欄Ｅと、「書き込み中」欄Ｅの下側に表示され、ディスク記録媒体への書き込みが終了したオーダーを表示する「書き込み履歴」欄Ｈとから構成されている。
【００５０】
「受信」欄Ｒには、「オーダー番号」と画像記録装置３０が受信した画像データ枚数を示す「受信枚数」の欄から構成されている。「書き込み準備」欄Ｔ、「書き込み待ち」欄Ｗ、「書き込み中」欄Ｅ及び「書き込み履歴」欄Ｈは、それぞれ各オーダーのオーダー番号を示す「オーダー番号」の欄と、そのオーダーの画像枚数を示す「画像枚数」の欄とから構成され、「オーダー番号」の右隣にそのオーダーに含まれる画像枚数が対応するように表示され、一目でオーダー番号と、そのオーダーに含まれる画像枚数とが分かるように表示されている。
【００５１】
「受信」欄Ｒに表示された「オーダー番号」及び「受信枚数」の欄ＣＲは、画面を見易くするために、背景色が見出し欄Ｉの背景色と異なる色が付されて表示されている。「書き込み準備」欄Ｔ及び「書き込み待ち」欄Ｗ及び「書き込み中」欄Ｅに表示された「オーダー番号」及び「画像枚数」の欄ＣＩは、画面を見易くするために、背景色が見出し欄Ｉの背景色と異なる色が付されて表示されている。一方、「書き込み履歴」欄Ｈの「オーダー番号」及び「画像枚数」の欄ＣＨは、書き込み済みであることが一目で分かるように、例えば透明の背景色が付されて表示されている。
【００５２】
図４に示すステップＳ１０において、１つのオーダーに含まれる画像データの読み込みが完了するまで、そのオーダーが現在読み込み中であることを示すため、そのオーダーのオーダー番号と画像枚数とが「受信」欄Ｒに表示される。「受信」欄Ｒに表示される受信枚数は、１枚の画像データの読み込みが終了する毎に１カウントアップされる。
【００５３】
次いで、ステップＳ１２において、データ変換部３０６によって、オーダーに含まれる各画像データがＪＰＥＧ形式に圧縮処理される。次いで、オーダー画像作成部３０３によって、オーダー一覧画像に圧縮処理が開始されたオーダーを表示するために、オーダー一覧画像が更新される（ステップＳ１３）。データ変換部３０６によって、圧縮処理が開始されたオーダーは、図６に示す「書き込み準備」欄Ｔの、最上位の欄ＴＴにそのオーダー番号と画像枚数とが表示される。そして、圧縮処理が完了したオーダーは、「書き込み準備」欄Ｔでの表示が消去され、「書き込み待ち」欄Ｗの最上位の欄ＷＴにそのオーダー番号と画像枚数とが表示される。なお、１枚のディスク記録媒体に複数のオーダー書き込むように指示された場合、それらのオーダーが１枚のディスク記録媒体に書き込まれることが一目で分かるように、１枚のディスク記録媒体に書き込まれる全てのオーダーのうち、オーダー番号が一番小さいオーダーのオーダー番号に対して、他のオーダーのオーダー番号は字下げして表示される。具体的には、図６に示すように、書き込み待ち欄Ｗに表示されたオーダー「５３８１」〜「５３８３」は、１枚のディスク記録媒体に書き込まれるものであるため、オーダー「５３８２」及び「５３８３」は、オーダー「５３８１」に対して、１文字分右方向に字下げして表示されることとなる。
【００５４】
次いで、図４に示すステップＳ１４において、データ変換部によってＪＰＥＧ形式への圧縮処理が完了したオーダーに含まれる全ての画像データがディスク記録媒体に書き込まれる。次いで、オーダー画像作成部３０３によって、書き込み処理が開始されたオーダーをオーダー一覧画像表示部に表示するようにオーダー一覧画像が更新される（ステップＳ１５）。ディスク記録媒体への書き込みが開始されたオーダーは、図６に示す「書き込み中」欄Ｅにそのオーダー番号と画像枚数とが表示される。そして、ディスク記録媒体への書き込み処理が終了すると、そのオーダーのオーダー番号及び画像枚数が「書き込み履歴」欄Ｈの最上位の欄ＨＴに表示される。
【００５５】
次に、本写真処理システム１による、メディア抜け及びコマ画像の記録抜けの確認作業について説明する。従来技術の欄でも説明したように、写真現像店では、顧客からの依頼を１つのオーダーに区切り、受注管理を行っている。オーダーの区切り方としては、例えば写真フィルム１本分若しくはフラッシュメモリ１枚分を１つのオーダーとしたり、または写真フィルムの本数若しくはフラッシュメモリの枚数によらず、一人の顧客からの依頼をまとめて１つのオーダーとしたり、写真現像店の事情などによりオーダーの区切り方は異なる。いずれにせよ、注文伝票に記載されたオーダー毎の画像データの記録枚数と、実際にディスク記録媒体に書き込まれたオーダー毎の画像データの記録枚数とが、完全に一致すれば、メディアの記録抜け及びコマ画像の記録抜けが無いと言える。
【００５６】
したがって、写真現像店の店員（オペレータ）は、メディアの記録抜け及びコマ画像の記録抜けを確認するために、注文伝票に記載されたオーダー毎の画像データの記録枚数と、実際にディスク記録媒体に記録されたオーダー毎の画像データの記録枚数とを照合することにより、メディアの記録抜け若しくはコマ画像の記録抜けの有無を確認する。
【００５７】
本写真処理システム１においては、各オーダーのオーダー番号と画像枚数とが対応づけて表示されたオーダー一覧画像が作成され表示される。したがって、写真現像店の店員は、このオーダー一覧画像を参照することにより、ディスク記録媒体に実際に記録されているオーダー毎の画像の記録枚数を取得することができる。そして、オーダー一覧画像を参照することにより取得したオーダー毎の記録枚数と、注文伝票に記載されたオーダー毎の記録枚数とを照合することで、メディアの記録抜け及びコマ画像の記録抜けを確認することができる。
【００５８】
そのため、従来の写真処理システムのように、画像が記録されたディスク記録媒体をコンピュータにロードして、ディスク記録媒体に実際に記録されているオーダー毎の画像データの記録枚数を数えることなくオーダー毎の画像データの記録枚数を取得することができるため、メディアの記録抜けの有無を確認するための作業に費やされる手間が大幅に軽減されることとなる。
【００５９】
なお、上記実施形態においては、計数部３０２が、オーダーに含まれる画像の枚数を自動的にカウントアップする構成を示したが、これに限定されず、予めユーザーが設定入力した１オーダー中に含まれる記録媒体（写真フィルムを含む）毎の画像の枚数を、そのオーダーの処理が終了した時に、加算することにより１オーダーに含まれるトータルの画像枚数を算出し、算出したトータルの画像枚数をオーダー一覧画像に表示してもよい。
【００６０】
【発明の効果】
以上説明したように、本発明に係る写真処理システムによれば、各オーダーのオーダー番号と画像枚数とが対応づけて表示されたオーダー一覧画像が作成されるため、メディアの記録抜けを確認するための作業に費やされる手間を大幅に軽減することができる。
【図面の簡単な説明】
【図１】  本実施形態に係る写真処理システムを示した図である。
【図２】  写真処理システムを機能的に示したブロック構成図である。
【図３】  ディスク記録媒体の表面に設けられたオーダー番号をプリントする領域を示す図である。
【図４】  写真処理システムの動作を説明するためのフローチャートである。
【図５】  オペレータが書き込み対象画像を選択する際に、表示される画面図の一例を示した図である。
【図６】  オーダー一覧画像の一例を示した図である。
【符号の説明】
１  写真処理システム
１０  写真処理装置
１１ａ  写真フィルム読取部
１１ｂ  フラッシュメモリリードライタ
１２  露光部
１３  現像処理部
１４  マガジン
１５  搬送機構
１６  乾燥ユニット
１７  ソータ
１８  モニター
１９  操作部
２０  制御部
３０  画像記録装置
１０１  画像読取部
１０２  画像メモリ
１０３  オーダー番号付与部
１０４  画像送信部
１０５  操作部
３０１  画像メモリ
３０２  計数部
３０３  オーダー画像作成部
３０４  表示部
３０５  画像記録部
３０６  データ変換部
【図１】
0003975833.tif 000002
【図２】
0003975833.tif 000003
【図３】
0003975833.tif 000004
【図４】
0003975833.tif 000005
【図５】
0003975833.tif 000006
【図６】
0003975833.tif 000007